(57)【要約】【課題】省スペース化による多数のワックス原型の展示と製品管理上が便利なワックス展示台を提供すること。【解決手段】一端が鋭利で、他端に係止段部が形成されたピンと、発泡スチロールなどによる基台から構成され、ワックス原型の湯口にピンを装着した後、展示されるワックス原型の製品情報が記載された識別カードを挿通して、前記基台に刺着する。【選択図】  図４
2005065740.tif 000002
【特許請求の範囲】
【請求項１】
一端が鋭利で、他端に係止段部が形成されたピンと、該ピンを刺着する基台から構成されることを特徴とするワックス原型用展示台。
【請求項２】
前記ピンには、展示されるワックス原型の製品番号、価格、素材、重量を含む製品情報が記載された識別カードを挿通することを特徴とする請求項１に記載のワックス原型用展示台。
【請求項３】
前記基台は、全体が発泡スチロール、ゴム、コルクで一体的に形成され、あるいは表面に発泡スチロール、ゴム、コルク、布、合成樹脂、革、紙を配した中空の箱体で形成されたものであることを特徴とする請求項１乃至２に記載のワックス原型用展示台。
【請求項４】
前記ピンの直径は、１〜４ｍｍの範囲であることを特徴とする請求項１乃至３に記載のワックス原型用展示台。
【請求項５】
一端が鋭利で、他端に係止段部が形成され、直径が１〜４ｍｍの範囲であるピンに、ワックス原型の製品番号、価格、素材、重量を含む製品情報を記載した識別カードを挿通する工程と、該ピンを加熱して前記係止段部よりワックス原型に挿入した後冷却する工程と、全体が発泡スチロールで形成され、あるいは表面に布材、合成樹脂材革材、紙材を配した中空の箱体で形成された基台に前記ピンの鋭利部を刺着する工程とからなることを特徴とするワックス原型の展示方法。
【請求項６】
一端が鋭利で、他端に係止鍔部が形成されたピンと、該ピンを付着する強力磁石板を表面に配した基板とから構成されることを特徴とするワックス原型用展示台。
【請求項７】
前記ピンの直径は、１〜４ｍｍの範囲であることを特徴とする請求項６に記載のワックス原型用展示台。
【請求項８】
一端が鋭利に形成され、他端に係止鍔部が形成され、直径が１〜４ｍｍの範囲であるピンに、ワックス原型の製品番号、価格、素材、重量を含む製品情報を記載した識別カードを挿通する工程と、該ピンを加熱しワックス原型に挿入した後冷却して固定する工程と、該ピンを強力磁石板で形成された基板に磁着する工程とからなることを特徴とするワックス原型の展示方法。
【発明の詳細な説明】
【０００１】
【発明の属する技術分野】
本発明は、各種ワックス原型、特に指輪などの装身具の製造に使用されるワックス原型を店頭でディスプレイする場合の展示台及びその展示方法に関する。
【０００２】
【従来の技術】
従来から指輪、ペンダント、ブローチなどの装身具製造のためにはロストワックスキャスティング法が一般的に採用されており、予め指輪などの形状に作られたワックス原型を鋳造して金、プラチナ、銀などの貴金属製のものとした後、宝石などを取り付けて装身具として完成することが行なわれている。そして、装身具製造業者のために各種ワックス原型を専門に製作する業者も存在し、そのような店舗においては多数のワックス原型がサンプルとして展示台にディスプレイされ、装身具製造業者が確認して購入できる便宜に供されている。
【０００３】
しかし、従来はワックス原型をディスプレイするための展示台は特に存在しないため、壊れ易く微小な装身具のワックス原型の展示には、例えば、図８示すように、透明プラスチックの箱７０内にワックス原型１８を一つ一つ収納し、当該箱７０の側面などに識別シール２９を貼り付けてディスプレイする、あるいは、図９に示すように、装身具用の展示台８０をそのまま使用し、指輪などの差し込みのための溝部８２へワックス原型１８を差し込んで、溝部８２の下に識別シール２９を貼り付けてディスプレイするといったような方法が採られていた。
【０００４】
【特許文献】
特開平０９−１５４６８５
【０００５】
【発明が解決しようとする課題】
しかし、前者の方法によれば、各プラスチックケースがスペースをとるため店頭でディスプレイできるワックス原型の数は著しく限られてしまう。一方、後者の方法によっても、各ワックス原型の間隔が離れることでディスプレイできるワックス原型の数には限界があり、また、商談の必要性より顧客へのワックス原型の手渡しなどを頻繁に行なうとワックス原型と展示台に張られた識別カードとが離れてしまい、製品管理上に非常な不便を生じていた。
【０００６】
本発明は、各ワックス原型を自由な位置に刺着することで、省スペース化による多数のワックス原型を展示することができると共に、商談時において顧客へのワックス原型の手渡しや展示台への戻しが簡単であって、かつ手渡しなどを頻繁に行なう場合でもワックス原型と識別カードとが分離しないため製品管理上に非常な便利なワックス展示台を提供することを目的とする。
【０００７】
また、本発明は、パーツショップなど非常に限られたスペースでのワックス原型の展示に際し、展示台自体を壁などに取りつけることができ、極めて効率的なワックス原型の展示ができるワックス展示台を提供することを目的とする。
【０００８】
【課題を解決するための手段】
請求項１に記載された発明は、一端が鋭利で、他端に係止段部が形成されたピンと、該ピンを刺着する基台から構成されるワックス原型用展示台であることを特徴とする。請求項２に記載された発明は、前記ピンには、展示されるワックス原型の製品番号、価格、素材、重量を含む製品情報が記載された識別カードを挿通する請求項１に記載のワックス原型用展示台であることを特徴とする。請求項３に記載された発明は、前記基台は、全体が発泡スチロール、ゴム、コルクで一体的に形成され、あるいは表面に発泡スチロール、ゴム、コルク、布、合成樹脂、革、紙を配した中空の箱体で形成された請求項１乃至２に記載のワックス原型用展示台であることを特徴とする。請求項４に記載された発明は、前記ピンの直径は、１〜４ｍｍの範囲である請求項１乃至３に記載のワックス原型用展示台であることを特徴とする。請求項５に記載された発明は、一端が鋭利で、他端に係止段部が形成され、直径が１〜４ｍｍの範囲であるピンに、ワックス原型の製品番号、価格、素材、重量を含む製品情報を記載した識別カードを挿通する工程と、該ピンを加熱して前記係止段部よりワックス原型に挿入した後冷却する工程と、全体が発泡スチロールで形成され、あるいは表面に布材、合成樹脂材革材、紙材を配した中空の箱体で形成された基台に前記ピンの鋭利部を刺着する工程とからなるワックス原型の展示方法であることを特徴とする。
【０００９】
したがって、ピンを装着したワックス原型を基台に刺着することで、多数のワックス原型を効率的に展示することができる。展示されたワックス原型の取り出しがスムーズで、また、識別カードと一緒に取り出すことができる。
【００１０】
請求項６に記載された発明は、一端が鋭利で、他端に係止鍔部が形成されたピンと、該ピンを付着する強力磁石板を表面に配した基板とから構成されるワックス原型用展示台であることを特徴とする。請求項７に記載された発明は、前記ピンの直径は、１〜４ｍｍの範囲である請求項６に記載のワックス原型用展示台であることを特徴とする。請求項８に記載された発明は、一端が鋭利に形成され、他端に係止鍔部が形成され、直径が１〜４ｍｍの範囲であるピンに、ワックス原型の製品番号、価格、素材、重量を含む製品情報を記載した識別カードを挿通する工程と、該ピンを加熱しワックス原型に挿入した後冷却して固定する工程と、該ピンを強力磁石板で形成された基板に磁着する工程とからなるワックス原型の展示方法であることを特徴とする。
【００１１】
したがって、ピンを装着したワックス原型を基台に磁着することで、多数のワックス原型を効率的に展示することができる。展示されたワックス原型の取り外しがスムーズで、また、識別カードと一緒に取り外すことができる。
【００１２】
以下、本発明を図面に基づいて詳細に説明する。図１は、本発明の第１の実施形態である第１ワックス原型用展示台の構成を説明するための図であって、（ａ）は第１ピンの斜視図、（ｂ）は、ワックス原型の斜視図、（ｃ）は、識別カードの斜視図、（ｄ）は、第１基台の斜視図である。また、図２は、ワックス原型に第１ピンを装着する方法を説明するための斜視図である。図３は、ワックス原型を基台に展示した状態を示す斜視図である。
【００１３】
第１ワックス原型用展示台を構成する第１ピン１２は、例えば、ステンレス、鉄、チタン、銀、真鍮などの金属を主に素材とするもので、一端に鋭利な鋭利部１４が形成され、他端は段差が設けられて大径となる係止段部１６が形成されている。
【００１４】
第１ピン１２の長さには特に限定がないが、その胴部や係止段部１６における径の太さは後記するワックス原型１８への装着を考慮すると０．２ｍｍ〜２ｍｍの範囲と微細なものであることが望ましい。
【００１５】
ワックス原型１８は、鋳造され、製品化された場合に指輪となるもので、上部が指輪形状２０そのもの、下部が湯口２２となっている。湯口２２は、金、プラチナ、銀などの貴金属素材によりロストワックスキャスティングを行う際に溶解した貴金属素材が流入する部分で、貴金属素材で成型された後には不要なものとして切り落とされる。
【００１６】
識別カード２４は、例えば、薄手の紙材、合成樹脂材を素材とし、第１ピン１２をそのまま鋭利部１４側から突き刺す、あるいは二つ折りにして折り曲げ部分２８に第１ピン１２を挿通するもので、表面には製品番号、価格、素材、重量を含む製品情報２６が必要に応じて記載されている。
【００１７】
第１基台３０は、例えば、厚さ５ｍｍ程度の発泡スチロールで一体的に形成された箱体からなるもので、第１ピン１２の鋭利部１４を表面に突き刺すと、ワックス原型１８を刺着できるものである。なお、ワックス原型１８の重量はきわめて軽量であるから、第１基台３０の厚みは、展示スペースの都合により自由に変更できる、例えば、厚さ１ｍｍ程度の発泡スチロールであっても十分にワックス原型１８を支えることが可能である。
【００１８】
もちろん、第１基台３０の材質自体には、特に限定がなく、発泡スチロール、ゴム、コルクで一体的に形成する、あるいは表面に発泡スチロール、ゴム、コルク、布、合成樹脂、革、紙を配した中空の箱体で形成しても差しつかえない。
【００１９】
第１ワックス用展示台１０を使用してワックス原型１８を展示する方法について説明する。ワックス原型１８に第１ピン１２を装着する場合、その係止段部１６を、例えば、トーチや熱湯により適度に加熱する。次に、第１ピン１２の係止段部１６をワックス原型１８の湯口２２の部分より押し込むと、ワックス原型１８のワックスがその部分だけ溶解し、第１ピン１２はワックス原型１８に簡単に挿入される。
【００２０】
そして、ワックス原型１８を空気中で冷却する際に、溶解した湯口２２を手指などで両側から軽く押さえるようにすると、ワックスが第１ピン１２の係止段部１６に入り込んで固形化するので、双方がロックされた状態となり、ワックス原型１８の湯口２２に第１ピン１２が確実に固定される。
【００２１】
さらに、製品情報２６が記載された識別カード２４の折り曲げ部分２８に第１ピン１２を鋭利部１４より挿入し、そのままワックス原型１８の湯口付近まで識別カード２４を第１ピン１２に挿通する。かかる状態で、第１ピン１２の鋭利部１４をさらに第１基台３０上に突き刺すと、ワックス原型１８は第１基台３０上に固定されて展示される。なお、第１基台３０上におけるワックス原型１８の展示位置については特に限定がなく、美的バランスを考慮しつつ自由な配置をすることができ、多数のワックス原型１８を展示することができる。
【００２２】
次に、本発明の第２の実施形態を説明する。図４は、（ａ）は、本発明の第２の実施形態である第２ワックス用展示台を構成する第２ピンの正面図、（ｂ）は、第２ピンをワックス原型に装着した状態を示す正面図である。
【００２３】
第２ワックス用展示台を構成する第２ピン４２は、例えば、ステンレス、鉄、チタン、銀、真鍮などの金属を主に素材とするもので、中央で折り曲げられ、全体が略コの字状をなすもので、両端には鋭利な鋭利部４４が形成され、折り曲げ部分近傍に段差が形成されることで係止段部４６が形成されている。
【００２４】
第２ピン４２の長さ、径の太さには特に限定がない点は、第１ピン１２と同様である。
【００２５】
第２ワックス原型用展示台４０において使用されるワックス原型１８、識別カード２４及び第１基台３０は、第１ワックス原型用展示台に使用されるものと同様であるので、ここでは説明を省略する。
【００２６】
このような第２ワックス用展示台の作用について説明すると、ワックス原型１８に第２ピン４２を装着するには係止段部４６を加熱すること、ワックス原型１８の湯口２２を手指で軽く押さえて確実な装着をすること、第２ピン４２の鋭利部４４に識別カード２４を挿通し、さらに第１基台３０に刺着してワックス原型１８を第１基台３０上に展示することは、第１ワックス原型用展示台と全く同様である。
【００２７】
第２ワックス用展示台においては、ワックス原型１８の湯口２２より２本の第２ピン４２が突出し、ワックス原型１８を両側より支えるので、第１基台３０上で安定して展示することができる。
【００２８】
また、図５（ａ）は、腕部のワックス原型に第１ピンを装着した状態を示す正面図、同図（ｂ）は、装飾部のワックス原型に第２ピンを装着した状態を示す正面図、同図（ｃ）は、第１ピンと第２ピンをワックス原型に装着し、双方を組み合わせた状態を示す正面図である。
【００２９】
すなわち、第２ワックス用展示台においては、第１ピン１２と第２ピン４２を一つのワックス原型１８に同時に使用できる。指輪などの装身具では、例えば、金とプラチナなどの異なる貴金属を組み合わせて一つの指輪とする場合があり、その場合にはワックス原型１８も別パーツとして構成される。
【００３０】
その場合に、第２ワックス用展示台によれば、腕部のワックス原型１８ａには第１ピン１２を使用し、装飾部のワックス原型１８ｂには第２ピン４２を使用して展示する。そして、第１ピン１２に対し第２ピンを９０度交差する方向とすることで、腕部のワックス原型１８ａに対し装飾部のワックス原型１８ｂを取付けた状態（指輪が完成された状態）そのままの展示が可能となる。
【００３１】
従来の展示方法によれば、接着剤などを使用して双方と取付けて展示する場合にはワックスが壊れるおそれもあるので、透明なプラスチック箱の中に一緒に入れて展示されていたものである。かかる場合には、顧客は完成した指輪のイメージがつかめなかったが、第２ワックス用展示台によればそのような問題を解決し、簡易かつ効果的な展示ができる。
【００３２】
次に、本発明の第３の実施形態を説明する。図７は、本発明の第３の実施形態である第３ワックス用展示台の説明図であり、（ａ）は第３ピンの斜視図、（ｂ）は第２基台の斜視図である。図８は、第３ワックス用展示台にワックス原型を展示した状態を示す斜視図である。
【００３３】
第３ワックス用展示台を構成する第３ピン５２は、例えば、ステンレス、鉄、チタン、銀、真鍮などの金属を主に素材とするもので、先端には鋭利な鋭利部５４が形成され、逆端には円板状の係止鍔部５６が形成されている。
【００３４】
第３ピン５２の全長には特に限定がないが、その径の太さは後記するワックス原型１８への装着を考慮すると軽量であるべきで０．２〜２ｍｍの範囲であることが好ましく、また、係止鍔部５６の直径については第２基台６０への装着を考慮すると２ｍｍ〜２０ｍｍの範囲であることが好ましい。
【００３５】
第３ワックス用展示台に使用されるワックス原型１８及び識別カード２４は、第１ワックス用展示台１０と同様であるのでここでは説明を省略する。
【００３６】
第２基台６０は、例えば、ゴム、合成樹脂、金属からなる強力磁石板を表面に配したもので、その厚み等に特に限定はない。また、第２基台６０には、必要に応じて第３ピン５２の係止鍔部５６を磁着する場合の位置めやすとされるマーク６２が印刷されている。
【００３７】
第３ワックス用展示台を使用してワックス原型１８を展示する方法について説明する。ワックス原型１８に第３ピン５２を装着する場合には、予め識別カード２４を挿通しておき、鋭利部５４をそのままワックス原型１８に差し込めば（湯口の部分に限らない。）、第３ピン５２はワックス原型１８に簡単に装着される。この場合には、特に第３ピン５２を加熱する必要もない。
【００３８】
そして、ワックス原型１８をマーク６２に沿って第２基台６０上に配置すれば、第３ピン５２の係止鍔部５６が磁着して、ワックス原型１８を簡単に展示できる。もちろん、マーク６２はあくまでもめやすであるから、第２基台６０上におけるワックス原型１８の位置については特に限定がなく、多数のワックス原型１８を展示することができるのは、第１ワックス用展示台の場合と同様である。
【００３９】
また、第３ワックス用展示台においては、展示スペースの必要に応じて壁掛け展示も可能となる。すなわち、第２基台６０を壁に貼り付ける等すれば、ワックス原型１８を水平方向に展示することができ、顧客にとっても見易く、店員にとっても取り出し易い展示が可能となる。
【００４０】
以上の如く、本発明をいくつかの実施形態によって説明したが、それらを以って本発明を前記実施形態のみに限定するものではなく、この発明の精神を逸脱しない限り種々の改変を加えて、多種多様の変更ができることはいうまでもない。
【００４１】
例えば、本発明に係るワックス用展示台においては、ピンの装着場所を決して１箇所に限るものではなく、例えば、ブローチなど大きなサイズの装身具のワックス原型の場合には数箇所にピンを装着して、安定して基台に展示することができる。
【００４２】
本発明によれば、各ワックス原型を自由な位置に刺着することで、省スペース化による多数のワックス原型を展示することができると共に、商談時において顧客へのワックス原型の手渡しや展示台への戻しが簡単であって、かつ手渡しなどを頻繁に行なう場合でもワックス原型と識別カードとが分離しないため製品管理上に非常な便利なワックス展示台を提供できる。
【００４３】
また、本発明は、パーツショップなど非常に限られたスペースでのワックス原型の展示に際し、展示台自体を壁などに取りつけることができ、極めて効率的なワックス原型の展示ができるワックス展示台を提供できる。
【図面の簡単な説明】
【図１】第１ワックス原型用展示台において、（ａ）は、第１ピンの斜視図、（ｂ）は、ワックス原型の斜視図、（ｃ）は、識別カードの斜視図、（ｄ）は、第１基台の斜視図である。
【図２】ワックス原型に第１ピンを装着する方法を説明するための斜視図である。
【図３】ワックス原型を基台に展示した状態を示す斜視図である。
【図４】第２ワックス原型用展示台において、（ａ）は、第２ピンの正面図、（ｂ）は、第２ピンをワックス原型に装着した状態を示す正面図、
【図５】第２ワックス原型用展示台において、（ａ）は、腕部のワックス原型に第１ピンを装着した状態を示す正面図、（ｂ）は、装飾部のワックス原型に第２ピンを装着した状態を示す正面図、（ｃ）は、第１ピンと第２ピンをワックス原型に装着し、双方を組み合わせた状態を示す正面図である。
【図６】第３ワックス用展示台において、（ａ）は第３ピンの斜視図、（ｂ）は第２基台の斜視図である。
【図７】第３ワックス用展示台にワックス原型を展示した状態を示す斜視図である。
【図８】従来のワックス原型の展示方法の一例を示す説明図である。
【図９】従来のワックス原型の展示方法の一例を示す説明図である。
【符号の説明】
１２  第１ピン
１４  鋭利部
１６  係止段部
１８  ワックス原型
２０  指輪形状
２２  湯口
２４  識別カード
２６  製品情報
２８  折り曲げ部分
２９  識別シール
３０  第１基台
４２  第２ピン
４４  鋭利部
４６  係止段部
５２  第３ピン
５４  鋭利部
５６  係止鍔部
６０  第２基台
６２  マーク
７０  箱
８０  展示台
８２  溝部
【図１】
2005065740.tif 000003
【図２】
2005065740.tif 000004
【図３】
2005065740.tif 000005
【図４】
2005065740.tif 000006
【図５】
2005065740.tif 000007
【図６】
2005065740.tif 000008
【図７】
2005065740.tif 000009
【図８】
2005065740.tif 000010
【図９】
2005065740.tif 000011